(57)【要約】  【課題】端子電極１２とＧＮＤ電極１６に同軸コネクタ２２の芯線２２ｃと外郭ＧＮＤ２２ａを簡単な作業で電気的接続し、周波数帯全域で特性値の劣化がない中継コネクタを提供する。  【解決手段】同軸コネクタ２２として、外郭ＧＮＤ２２ａの外形が外周面にネジが刻設された略円柱状で剥き出した芯線２２ｃ近くまで誘電体部材２２ｂを外郭ＧＮＤ２２ａが覆うスパークプラグ型を用いる。導電材のメインブロック２０に裏面側から同軸コネクタ２２の外郭ＧＮＤ２２ａを螺入固定し、表面から芯線２２ｃを突出させる。メインブロック２０に、基板１０の端部を載せる基板受け部２６ｂを有する導電材のＧＮＤブロック２６を、同軸コネクタ２２の軸と直交方向に相対移動できるとともに電気的接続する。メインブロック２０とＧＮＤブロック２６の相対移動で、芯線２２ｃと基板受け部２６ｂの間を開いて基板１０を差し込み、その間を接近させて基板１０を挟む。【選択図】  図６
2010176953.tif 000002
【特許請求の範囲】
【請求項１】
基板の表面端部に設けられた端子電極に同軸コネクタの芯線を電気的接続するとともに前記基板の裏面端部に設けられたＧＮＤ電極に前記同軸コネクタの外郭ＧＮＤを電気的接続する中継コネクタであって、前記同軸コネクタとして前記外郭ＧＮＤの外形が略円柱状でその外周面にネジが刻設されるとともに誘電体部材から剥き出された前記芯線の近くまで前記誘電体部材を前記外郭ＧＮＤが覆うスパークプラグ型を用い、導電材からなるメインブロックに穿設した貫通孔に裏面側から前記同軸コネクタの前記外郭ＧＮＤを螺入しその後端部を前記裏面側から突出させた状態で固定するとともに前記メインブロックの表面から前記芯線を突出させ、前記メインブロックの下端部に前記同軸コネクタの軸方向と直交方向でシャフトの一端部を固定し、前記基板の端部を載せる基板受け部を有する導電材からなるＧＮＤブロックを前記シャフトが貫通されて前記メインブロックに対して相対移動し得るようにするとともに前記メインブロックと前記ＧＮＤブロックを電気的接続し、前記シャフトの他端部をベースブロックに固定し、前記ＧＮＤブロックと前記ベースブロックの間に弾性部材を縮設し、前記メインブロックに前記シャフトと平行方向に所定範囲で相対移動できるように連結部材を配設し、前記連結部材に前記ＧＮＤブロックを固定し、さらに前記メインブロックに対して前記ＧＮＤブロックと反対側に配設した操作部材を前記連結部材に固定し、前記操作部材を前記メインブロック側に押圧移動させると前記ＧＮＤブロックが前記弾性部材の弾力に抗して前記メインブロックから分離方向に移動し、前記芯線から前記基板受け部が分離方向に相対移動するようにして、前記芯線と前記基板受け部との間を開いてその間に前記基板を差し込めるようになし、前記操作部材の押圧を解放すると、前記弾性部材の弾力によって前記ＧＮＤブロックが前記メインブロックに接近移動して前記芯線と前記基板受け部の間で前記基板を挟むように構成したことを特徴とする中継コネクタ。
【請求項２】
請求項１記載の中継コネクタにおいて、前記メインブロックの両側面に前記連結部材を配設し、これらの連結部材より外側に配置した枠体に前記メインブロックと前記ベースブロックを固定し、前記メインブロックと前記枠体の間で前記連結部材を前記シャフトと平行方向に所定範囲で移動自在とし、前記操作部材に対して前記メインブロックと反対側で前記枠体に操作レバーを揺動自在に配設し、前記操作レバーの揺動操作で前記操作レバーに設けたカム部により前記操作部材を前記メインブロック側に押圧移動させまたは押圧を解除するように構成したことを特徴とする中継コネクタ。
【請求項３】
請求項２記載の中継コネクタにおいて、前記連結部材に前記シャフトと平行方向に長い長孔を穿設し、前記メインブロックの両側面に前記連結部材の前記長孔に嵌合し前記長孔の長さよりも短い間隔で突設した２つの突部または前記長孔の長さよりも短い突条からなる突設部を配設し、前記突設部の前記長孔への嵌合により前記連結部材を前記メインブロックに対して前記シャフトと平行方向に所定範囲で移動自在に構成したことを特徴とする中継コネクタ。
【請求項４】
請求項１ないし３記載のいずれかの中継コネクタにおいて、前記メインブロックの表面で前記芯線に対して前記ＧＮＤブロックと反対側に導電材からなる表面ＧＮＤ受け部を配設し、前記表面ＧＮＤ受け部の前記ＧＮＤブロックの前記基板受け部に臨む面を、前記基板受け部と平行でしかも前記基板受け部に対して前記芯線が最も近い位置よりも僅かに離れた位置となるようにし、さらに前記芯線と電気的接続しないように凹部を設け、前記芯線と前記基板受け部との間に前記基板を差し込んで前記芯線と前記基板受け部の間で前記基板を挟んだ状態で、前記芯線が僅かに撓んで前記基板の前記端子電極に弾接するとともに前記表面ＧＮＤ受け部が前記基板の表面のＧＮＤ電極に当接して電気的接続するように構成したことを特徴とする中継コネクタ。
【発明の詳細な説明】
【技術分野】
【０００１】
本発明は、基板の検査等のために、基板の表面に設けられた端子電極に同軸コネクタの芯線を電気的接続するとともに基板の裏面に設けられたＧＮＤ電極に前記同軸コネクタの外郭ＧＮＤを電気的接続する中継ネクタに関するものである。
【背景技術】
【０００２】
高周波回路基板等の設計製作において、設計途中でその特性評価を行う必要がある。そこで、基板の表面端部に設けられた端子電極に同軸コネクタの芯線を電気的接続するとともに、基板の裏面端部に設けられたＧＮＤ電極に同軸コネクタの外郭ＧＮＤを電気的接続して、端子電極から得られる高周波信号に基づいて特性評価がなされる。ここで、端子電極に同軸コネクタの芯線を電気的接続するとともにＧＮＤ電極に同軸コネクタの外郭ＧＮＤを電気的接続する構造を、半田付けにより形成するならば、その作業は繁雑である。また、基板から半田付けされて固定された同軸コネクタを取り外す作業も繁雑である。そこで、本特許出願人は、先に特開２００８−１７１８０１号公報により、半田付けせずに基板に同軸コネクタを取り付けることのできる中継コネクタを提案した。
【特許文献１】特開２００８−１７１８０１号公報
【０００３】
この特開２００８−１７１８０１号公報で提案した技術を、図９ないし図１１を参照して簡単に説明する。図９は、先に提案した中継コネクタの外観図であり、（ａ）は側面図であり、（ｂ）は平面図であり、（ｃ）は正面図である。図１０は、図９（ｂ）のＡ−Ａ断面矢視図である。図１１は、図９に示す中継コネクタの分解斜視図である。図９ないし図１１に示す先に提案した中継コネクタにあっては、導電材からなるメインブロック２０に貫通孔２０ａを穿設し、この貫通孔２０ａに裏側の面から同軸コネクタ（一例として、ＳＭＡ型コネクタ）２２の外郭ＧＮＤ２２ａより突出された誘電体部材２２ｂを挿入し、裏側の面に外郭ＧＮＤ２２ａをネジにより固定するとともに電気的接続し、さらにメインブロック２０の表側の面より誘電体部材２２ｂから剥き出された芯線２２ｃを突出させる。ここで、誘電体部材２２ｂの端面は、メインブロック２０の表側の面とほぼ同じまたは若干引っ込んだ位置にある。また、芯線２２ｃが突出する軸方向は、メインブロック２０の表側の面に対して、垂直方向である。そして、メインブロック２０に、表側の面と平行に下方に向けてガイドピン２４、２４が立設される。導電材からなるＧＮＤブロック２６には、ガイドピン２４、２４が挿入されるガイド孔２６ａ、２６ａが穿設されており、これらのガイド孔２６ａ、２６ａにガイドピン２４、２４を挿脱自在に挿入させることで、メインブロック２０に対してＧＮＤブロック２６が表側の面と平行な直線方向で摺接しながら相対移動できるように構成される。さらに、ＧＮＤブロック２６には、芯線２２ｃに臨んで基板受け部２６ｂが設けられ、相対移動により芯線２２ｃに基板受け部２６ｂが接近分離方向に移動できるようになされる。しかも、基板受け部２６ｂと芯線２２ｃの間に基板を挟んだ際に、芯線２２ｃの曲がりを阻止するように、メインブロック２０の表面に基板受け部２６ｂと反対側で芯線２２ｃに当接して絶縁カバーが設けられている。
【０００４】
さらに、操作部材３０に上下方向に貫通穿設した移動範囲規制貫通孔３０ａ、３０ａに移動範囲規制ネジ３２、３２を軸方向に所定範囲で移動自在に貫通させ、その先端側をメインブロック２０に芯線２２ｃに対してＧＮＤブロック２６を配設したのと反対側に螺合して立設させて、操作部材３０がメインブロック２０に対して、所定範囲で接近分離方向に相対移動できるように配設される。ここで、ＧＮＤブロック２６の芯線２２ｃに対する接近分離方向と、操作部材３０がメインブロック２０に接近分離する方向は、平行である。しかも、操作部材３０とメインブロック２０の間に、弾性部材としての弾性バネ３４、３４が縮設されて、操作部材３０がメインブロック２０から分離方向に弾性付勢される。そしてまた、操作部材３０とＧＮＤブロック２６が、連結ピン３６、３６…により連結部材３８、３８で連結される。この連結部材３８、３８は、操作部材３０の接近分離方向の移動に伴い、ＧＮＤブロック２６を芯線２２ｃに対して接近分離方向に移動させる。そしてさらに、ＧＮＤブロック２６には、導電性を有する板バネ４０がビスで固定され、接近分離方向に相対移動するメインブロック２０に摺動自在に弾接するよう配設されるとともに電気的接続される。なお、この先に提案した中継コネクタの横幅Ｗは、同軸コネクタ２２の外郭ＧＮＤ２２ａの横幅の寸法と同じ、例えば１２．７ｍｍに設定されている。
【０００５】
上述の特開２００８−１７１８０１号公報で提案した技術にあっては、メインブロック２０とＧＮＤブロック２６の相対移動により芯線２２ｃと基板受け部２６ｂとの間の距離を分離させてその間に基板を差し込むとともに、相対移動により芯線２２ｃと基板受け部２６ｂとの間の距離を接近させてその間に基板を挟むことができる。そこで、同軸コネクタ２２の芯線２２ｃが基板表面に設けた端子電極に当接されて電気的接続され、また基板裏面に設けたＧＮＤ電極が基板受け部２６ｂを有するＧＮＤブロック２６からメインブロック２２を介して同軸コネクタ２２の外郭ＧＮＤ２２ａに電気的接続される。もって、簡単に、基板を同軸コネクタ２２に電気的接続させることができる。また、相対移動により芯線２２ｃと基板受け部２６ｂとの間の距離を分離させて、その間に差し込まれている基板を簡単に取り外すことができる。しかも、その作業は、操作部材３０を弾性部材３４、３４の弾力に抗してメインブロック２０側に押圧移動させると、操作部材３０と連結部材３８、３８で連結されたＧＮＤブロック２６の基板受け部２６ｂが芯線２２ｃから分離方向に相対移動して、芯線２２ｃと基板受け部２６ｂとの間を開いてその間に基板を差し込むことができ、操作部材の押圧を解放すれば、弾力によって芯線２２ｃと基板受け部２６ｂの間で基板を挟むことができ、極めて簡単である。
【発明の開示】
【発明が解決しようとする課題】
【０００６】
上述の特開２００８−１７１８０１号公報で提案した技術にあっては、簡単な作業で、基板に同軸コネクタ２２を電気的接続させることができる点で優れたものである。しかるに、メインブロック２２に穿設した貫通孔２２ａに挿入する同軸コネクタ２２の誘電体部材２２ｂがかなり長く、貫通孔２２ａの内周面と誘電体部材２２ｂの外周面の間に生じ易い僅かな隙間により、その間のインピーダンスが一定に保たれない虞がある。また、メインブロック２０とメインブロック２０に固定される同軸コネクタ２２の外郭ＧＮＤ２２ａとの間にも僅かな隙間を生ずる場合があり、ここでもインピーダンスの連続性が失われやすい。これらの結果、従来の端子電極に同軸コネクタの芯線を半田付けにより電気的接続するとともにＧＮＤ電極に同軸コネクタの外郭ＧＮＤを半田付けにより電気的接続する構造と比較して、一部周波数帯で特性値の若干の劣化が認められる。
【０００７】
本発明は、かかる事情に鑑みてなされたもので、端子電極に同軸コネクタの芯線を電気的接続するとともにＧＮＤ電極に同軸コネクタの外郭ＧＮＤを電気的接続する作業が簡単であるとともに、周波数帯全域で特性値の劣化がない中継コネクタを提供することを目的とする。
【課題を解決するための手段】
【０００８】
かかる目的を達成するために、本発明の中継コネクタは、基板の表面端部に設けられた端子電極に同軸コネクタの芯線を電気的接続するとともに前記基板の裏面端部に設けられたＧＮＤ電極に前記同軸コネクタの外郭ＧＮＤを電気的接続する中継コネクタであって、前記同軸コネクタとして前記外郭ＧＮＤの外形が略円柱状でその外周面にネジが刻設されるとともに誘電体部材から剥き出された前記芯線の近くまで前記誘電体部材を前記外郭ＧＮＤが覆うスパークプラグ型を用い、導電材からなるメインブロックに穿設した貫通孔に裏面側から前記同軸コネクタの前記外郭ＧＮＤを螺入しその後端部を前記裏面側から突出させた状態で固定するとともに前記メインブロックの表面から前記芯線を突出させ、前記メインブロックの下端部に前記同軸コネクタの軸方向と直交方向でシャフトの一端部を固定し、前記基板の端部を載せる基板受け部を有する導電材からなるＧＮＤブロックを前記シャフトが貫通されて前記メインブロックに対して相対移動し得るようにするとともに前記メインブロックと前記ＧＮＤブロックを電気的接続し、前記シャフトの他端部をベースブロックに固定し、前記ＧＮＤブロックと前記ベースブロックの間に弾性部材を縮設し、前記メインブロックに前記シャフトと平行方向に所定範囲で相対移動できるように連結部材を配設し、前記連結部材に前記ＧＮＤブロックを固定し、さらに前記メインブロックに対して前記ＧＮＤブロックと反対側に配設した操作部材を前記連結部材に固定し、前記操作部材を前記メインブロック側に押圧移動させると前記ＧＮＤブロックが前記弾性部材の弾力に抗して前記メインブロックから分離方向に移動し、前記芯線から前記基板受け部が分離方向に相対移動するようにして、前記芯線と前記基板受け部との間を開いてその間に前記基板を差し込めるようになし、前記操作部材の押圧を解放すると、前記弾性部材の弾力によって前記ＧＮＤブロックが前記メインブロックに接近移動して前記芯線と前記基板受け部の間で前記基板を挟むように構成されている。
【０００９】
そして、前記メインブロックの両側面に前記連結部材を配設し、これらの連結部材より外側に配置した枠体に前記メインブロックと前記ベースブロックを固定し、前記メインブロックと前記枠体の間で前記連結部材を前記シャフトと平行方向に所定範囲で移動自在とし、前記操作部材に対して前記メインブロックと反対側で前記枠体に操作レバーを揺動自在に配設し、前記操作レバーの揺動操作で前記操作レバーに設けたカム部により前記操作部材を前記メインブロック側に押圧移動させまたは押圧を解除するように構成しても良い。
【００１０】
さらに、前記連結部材に前記シャフトと平行方向に長い長孔を穿設し、前記メインブロックの両側面に前記連結部材の前記長孔に嵌合し前記長孔の長さよりも短い間隔で突設した２つの突部または前記長孔の長さよりも短い突条からなる突設部を配設し、前記突設部の前記長孔への嵌合により前記連結部材を前記メインブロックに対して前記シャフトと平行方向に所定範囲で移動自在に構成することもできる。
【００１１】
また、前記メインブロックの表面で前記芯線に対して前記ＧＮＤブロックと反対側に導電材からなる表面ＧＮＤ受け部を配設し、前記表面ＧＮＤ受け部の前記ＧＮＤブロックの前記基板受け部に臨む面を、前記基板受け部と平行でしかも前記基板受け部に対して前記芯線が最も近い位置よりも僅かに離れた位置となるようにし、さらに前記芯線と電気的接続しないように凹部を設け、前記芯線と前記基板受け部との間に前記基板を差し込んで前記芯線と前記基板受け部の間で前記基板を挟んだ状態で、前記芯線が僅かに撓んで前記基板の前記端子電極に弾接するとともに前記表面ＧＮＤ受け部が前記基板の表面のＧＮＤ電極に当接して電気的接続するように構成されていても良い。
【発明の効果】
【００１２】
請求項１記載の中継コネクタにあっては、同軸コネクタとして外郭ＧＮＤの外形が略円柱状でその外周面にネジが刻設されるとともに誘電体部材から剥き出された芯線の近くまで誘電体部材を外郭ＧＮＤが覆うスパークプラグ型を用いており、導電材からなるメインブロックに穿設した貫通孔に裏面側から同軸コネクタの外郭ＧＮＤを螺入しその後端部を裏面側から突出させた状態で固定するとともに、メインブロックの表面から芯線を突出させているので、従来のＳＭＡ型の同軸コネクタを用いた構造に比較して、外郭ＧＮＤから突出する誘電体部材の長さが短くなり、従来のごとき長い誘電体部材の外周面と貫通孔の内周面の間の隙間によりインピーダンスが不安定となる虞がなく、しかもメインブロックの裏面側に突出する外郭ＧＮＤ後端部に同軸ケーブルを接続すれば良く、従来のごときメインブロックとこれに固定される同軸コネクタの外郭ＧＮＤとの間の隙間もなくなり、インピーダンスの連続性が失われることがない。したがって、従来の端子電極に同軸コネクタの芯線を半田付けにより電気的接続するとともにＧＮＤ電極に同軸コネクタの外郭ＧＮＤを半田付けにより電気的接続する構造と比較して、周波数帯全域で同等の特性値が得られている。そして、半田付けにより電気的接続していないので、特開２００８−１７１８０１号公報で提案した技術と同様に、基板の表面端部に設けられた端子電極に同軸コネクタの芯線を半田付けにより電気的接続するとともに、基板の裏面端部に設けられたＧＮＤ電極に同軸コネクタの外郭ＧＮＤを半田付けして電気的接続するような繁雑な作業を必要としない。
【００１３】
そして、請求項２記載の中継コネクタにあっては、メインブロックの両側面に連結部材を配設し、これらの連結部材より外側に配置した枠体にメインブロックとベースブロックを固定し、メインブロックと枠体の間で連結部材をシャフトと平行方向に所定範囲で移動自在としているので、連結部材がメインブロックの側方向（外側）への移動が規制される。そこで、操作部材の移動で連結部材を介して確実にＧＮＤブロックを移動させ得る。しかも、記枠体に揺動自在に配設した操作レバーの揺動操作により、簡単に、操作レバーに設けたカム部により操作部材をメインブロック側に押圧移動させまたは押圧を解除することができる。
【００１４】
さらに、請求項３記載の中継コネクタにあっては、連結部材に穿設したシャフトと平行方向に長い長孔に、メインブロックの両側面に設けた突設部を嵌合することにより、簡単な構造で、連結部材をメインブロックに対してシャフトと平行方向に所定範囲でぶれることなく移動自在とすることができる。
【００１５】
また、請求項４記載の中継コネクタにあっては、基板の表面に設けられたＧＮＤ電極にメインブロックに配設された表面ＧＮＤ受け部が当接して電気的導通し、基板の表面の端子電極に芯線が僅かに撓んで弾接する。もって、ＧＮＤ電極が表面に配設された基板に対応することができる。
【発明を実施するための最良の形態】
【００１６】
以下、本発明の第１実施例を図１ないし図８を参照して説明する。図１は、本発明の中継コネクタの第１実施例の外観図であり、（ａ）は側面図であり、（ｂ）は平面図であり、（ｃ）は正面図である。図２は、図１の分解斜視図である。図３は、図１に示す中継コネクタの操作レバーを揺動させた側面図であり、（ａ）は操作レバーを横に寝かせて基板を挟む状態を示し、（ｂ）は操作レバーを立てて基板を差し込み得る状態を示す。図４は、図３において側面に設けられた枠体を取り外して、操作レバーを揺動させた側面図であり、（ａ）は操作レバーを横に寝かせて基板を挟む状態の図であり、（ｂ）は操作レバーを立てて基板を差し込み得る状態の図である。図５は、図３において操作レバーを揺動させた縦断面図であり、（ａ）は操作レバーを横に寝かせて基板を挟む状態の図であり、（ｂ）は操作レバーを立てて基板を差し込み得る状態の図である。図６は、基板を挟もうとする本発明の第１実施例の中継コネクタの外観斜視図である。図７は、メインブロックから芯線を突出させれる構造の詳細を示し、基板を挟まない状態の縦断面図である。図８は、本発明で用いるスパークプラグ型の同軸コネクタの変形例を示し、（ａ）は外観斜視図であり、（ｂ）は（ａ）におけるＡ矢視図である。図１ないし図８において、図９ないし図１１と同じまたは均等な部材には同じ符号を付けて重複する説明を省略する。
【００１７】
図１ないし図７において、本発明の中継コネクタの第１実施例にあっては、同軸コネクタ２２として接地側である外郭ＧＮＤ２２ａの外形が略円柱状でその外周面にネジが刻設されるとともに誘電体部材２２ｂから剥き出された芯線２２ｃの近くまで誘電体部材２２ｂを外郭ＧＮＤ２２ａが覆うスパークプラグ型が用いられる。そこで、導電材からなるメインブロック２０に貫通孔２０ａを穿設し、この貫通孔２０ａには雌ネジが適宜に刻設され、裏面側から同軸コネクタ２２の外郭ＧＮＤ２２ａが螺合挿入され、メインブロック２０の裏面側に外郭ＧＮＤ２２ａの後端部を突出させた状態で固定されるとともにメインブロック２０に電気的接続される。そして、メインブロック２０の表面側より誘電体部材２２ｂから剥き出された芯線２２ｃが突出される。ここで、誘電体部材２２ｂの端面は、メインブロック２０の表面側から突出していない状態である。また、芯線２２ｃが突出する軸方向は、メインブロック２０の表側の面に対して、ほぼ垂直方向であるが、図７に示すごとく、先端側が僅かに下がる傾斜θをもつように配設される。そして、メインブロック２０の下面に、表面と平行方向となるようにシャフト２５、２５の一端が螺合固定される。導電材からなるＧＮＤブロック２６には、シャフト２５、２５が挿入されるガイド孔２６ａ、２６ａが穿設されており、これらのガイド孔２６ａ、２６ａにシャフト２５、２５を移動自在に挿入させることで、メインブロック２０に対してＧＮＤブロック２６が表面と平行な直線方向で摺接しながら相対移動できるように構成される。なお、メインブロック２０のＧＮＤブロック２６との摺接面にスプリングコネクタ４２、４２が埋め込むようにして設けられ、ＧＮＤブロック２６の摺接面に弾接して、メインブロック２０とＧＮＤブロック２６の電気的導通がなされる。さらに、ＧＮＤブロック２６には、芯線２２ｃに臨んで基板受け部２６ｂが設けられ、相対移動により芯線２２ｃに基板受け部２６ｂが接近分離方向に移動できるようになされる。また、メインブロック２０の表面で、基板受け部２６ｂと接近分離方向で反対側に、導電材からなる表側ＧＮＤ受け部２８がネジにより固定される。この表側ＧＮＤ受け部２８の上側と下側の面は平行に形成され、下側の面には芯線２２ｃに当接して電気的接続しないように半円弧状の凹部２８ａが設けられている。そして、メインブロック２０の表側の面で表側ＧＮＤ受け部２８が固定される上側に、下側の面が基板受け部２６ｂと平行に形成された位置決め用突起部２０ｂが設けられている。そこで、表側ＧＮＤ受け部２８は上側の面を位置決め用突起２０ｂの下側面に当接させてその位置および姿勢が規制されて、下側の面が基板受け部２６ｂと平行とされてメインブロック２０の表側の面に固定され得る。しかも、表側ＧＮＤ受け部２８の下側の面の位置は、メインブロック２０から突出するほぼ垂直方向であるが先端側が僅かに下がる傾斜θをもつ芯線２２ｃの先端側の下端の位置よりも僅かに上側となるように設定されている。
【００１８】
さらに、シャフト２５、２５の他端部がベースブロック２７に固定される。ここで、ＧＮＤブロック２６はメインブロック２０とベースブロック２７の間に配設され、その間で所定の範囲でシャフト２５、２５の軸方向に移動可能である。さらに、ベースブロック２７とＧＮＤブロック２６の間に、弾性部材としての弾性バネ３４、３４がシャフト２５、２５に遊嵌して縮設されている。もって、ＧＮＤブロック２６はメインブロック２０側に弾性偏寄されている。そしてまた、メインブロック２０の両側面に、連結部材３８、３８がシャフト２５、２５と平行方向に所定範囲で移動自在に配設される。例えば、連結部材３８、３８にシャフト２５、２５と平行方向に長い長孔３８ａ、３８ａを穿設し、メインブロック２０の両側面にシャフト２５、２５と平行方向に長孔３８ａ、３８ａの長さよりも短い間隔で２つのカラー２０ｄ、２０ｄ…等を固定した突部からなる突設部を設け、この突設部を長孔３８ａ、３８ａに嵌合させることで構成される。なお、この突設部は、メインブロック２０の両側面にシャフト２５、２５と平行方向に長孔３８ａ、３８ａの長さよりも短い長さの１つの突条を設けて構成することもできる。そして、連結部材３８、３８をＧＮＤブロック２６にネジ等で固定し、さらにメインブロック２０のＧＮＤブロック２６を配設したのと反対側で、メインブロック２０の上方で離れた位置で連結部材３８、３８を操作部材３０にネジ等で固定される。ここで、メインブロック２０と操作部材３０の離れている間隔は、ＧＮＤブロック２６がメインブロック２０とベースブロック２７との間で移動し得る距離と同等に設定される。
【００１９】
さらに、メインブロック２０の両側面で連結部材３８、３８の外側に、板金からなる枠体６０、６０が配設され、ネジでメインブロック２０とベースブロック２７に固定される。なお、メインブロック２０と枠体６０、６０の固定には、メインブロック２０の両側面に設けた突設部を構成するカラー２０ｄ、２０ｄ…とともに共締め固定するように構成されても良い。ここで、メインブロック２０の両側面に枠体６０、６０が配設された状態で、その幅がＳＭＡ型の従来の同軸コネクタ２２の外郭ＧＮＤ２２ａの横幅と同じ寸法の、例えば１２．７ｍｍ、またはそれ以下の寸法に設定されることが望ましい。そして、両側の枠体６０、６０の上端部が操作部材３０を越えた上方まで伸ばされ、操作部材３０の上方で、枠体６０、６０の上端の先端部に、操作部材３０の操作移動方向と直交するように設けられた揺動支軸６６に操作レバー７０が揺動自在に配設される。この操作レバー７０には、操作部材３０に臨んでカム部７０ａが設けられ、操作レバー７０を立てた状態と横に寝かせた状態に揺動操作することで、操作部材３０を下方に押圧し、また押圧を開放させ得る。
【００２０】
かかる構成において、図３（ｂ）、図４（ｂ）、図５（ｂ）に示すごとく、操作レバー７０を立てた状態では、カム部７０ａが操作部材３０に当接した状態であり、操作部材３０をメインブロック２０に接近方向に押圧する。すると、連結部材３８、３８で連結されたＧＮＤブロック２６がメインブロック２０に対して弾性バネ３４、３４の弾力に抗して相対移動して、基板受け部２６ｂが芯線２２ｃから分離方向に移動され、基板受け部２６ｂと芯線２２ｃの間が開かれる。そこで、図６に示すように、この芯線２２ｃと基板受け部２６ｂの間に基板１０を位置合わせして差し込む。そしてまた、図３（ａ）、図４（ａ）、図５（ａ）に示すごとく、操作レバー７０を横に寝かせた状態とすれば、操作部材３０の押圧が解放されて、操作部材３０はメインブロック２０から分離方向に移動され得る状態となり、これに伴い弾性バネ３４、３４の弾力によりＧＮＤブロック２６がメインブロック２０側に移動して、基板受け部２６ｂが芯線２２ｃに接近方向に移動する。もって、芯線２２ｃと基板受け部２６ｂの間で、基板１０を挟むことができる。ここで、基板１０の差し込みは、表面端部に設けられた端子電極１２を芯線２２ｃの先端部に臨むように配設することで、基板１０を芯線２２ｃに容易に位置合わせすることができる。この基板１０が挟まれると、端子電極１２が芯線２２ｃに当接して電気的接続がなされるとともに、基板１０の裏面端部のＧＮＤ電極１６ａが、基板受け部２６ｂを有するＧＮＤブロック２６とメインブロック２０を直列に介して外郭ＧＮＤ２２ａに電気的接続される。もって、基板１０の端子電極１２と裏面端部のＧＮＤ電極１６ａが、同軸コネクタ２２に電気的接続される。
【００２１】
ところで、近年は、基板１０の表面にＧＮＤ電極１６ｂを配設したものがある。かかる基板１０の表面のＧＮＤ電極１６ｂに対して、ＧＮＤブロック２６の基板受け部２６ｂで電気的接続させることは当然にできない。そこで、メインブロック２０の表面で、芯線２２ｃに対して基板受け部２６ｂと接近分離方向で反対側に、導電材からなる表側ＧＮＤ受け部２８がネジにより固定され、表側ＧＮＤ受け部２８を基板１０の表面に設けられたＧＮＤ電極１６ｂに当接させて電気的接続するように図られている。ここで、基板１０を基板受け部２６ｂと表側ＧＮＤ受け部２８で狭持することとなり、均等に狭持するために基板受け部２６ｂの基板１０に当接する面と表側ＧＮＤ受け部２８の基板１０に当接する面は、正確に平行でなければならない。しかも、基板１０の表面のＧＮＤ電極１６ｂの位置に応じて、表側ＧＮＤ受け部２８は交換できる必要がある。そこで、表側ＧＮＤ受け部２８をネジ止めにより容易に交換できるようになし、しかもメインブロック２０に設けた位置決め用突起２０ｂにより、その固定される姿勢が規制されて、表側ＧＮＤ受け部２８の下面を基板受け部２６ｂと平行とすることができる。表側ＧＮＤ受け部２８に設けた半円弧状の凹部２８ａの径は、基板１０の位置がずれた場合にも、基板１０の端子電極１２に芯線２２ｃと表側ＧＮＤ受け部２８が共に当接しないように、少なくとも端子電極１２の幅の２倍以上が必要である。そして、図６に示すごとく、基板１０の表面で端子電極１２の両側に設けられたＧＮＤ電極１６ｂ、１６ｂに跨って当接し得るようにその間隔と同じまたはそれよりも若干広く設定される。さらに、表側ＧＮＤ受け部２８の厚さは、信号路のインピーダンスを５０Ωにできるだけ維持すべく、電気的特性からはできるだけ薄いことが望ましいが、基板端部からＧＮＤ電極１６ｂ、１６ｂがセットバックして製作される場合と機械的強度を配慮して、適宜に設定されれば良いが、０．２ｍｍ程度以上の厚さが望ましい。この表側ＧＮＤ受け部２８を設けたことにより、基板１０の表面にＧＮＤ電極１６ｂ、１６ｂを設けたものに対応することができるが、基板１０の裏面と表面にＧＮＤ電極１６ａ、１６ｂ、１６ｂをともに設けた基板にも対応することができる。
【００２２】
そして、基板１０の端子電極１２に芯線２２ｃが弾接する際には、芯線２２ｃが突出する軸方向がメインブロック２０の表側の面に対して、図７に示すごとく、先端側が僅かに下がる傾斜θをもつように配設されるとともに、表側ＧＮＤ受け部２８の下側の面が芯線２２ｃの先端側の下端の位置よりも僅かに上側となるように設定されているので、まず芯線２２ｃの先端部の下側が端子電極１２に当接し、この当接に伴い芯線２２ｃは弾性変形して端子電極１２に沿うように弾接し、その後で表側ＧＮＤ受け部２８が基板１０の表側のＧＮＤ電極１６ｂ、１６ｂに当接する。芯線２２ｃの最下端部は、例えば、表側ＧＮＤ受け部２８の下側の面の位置より、数十ミクロン単位で低く設定される。このように芯線２２ｃの弾性変形を利用して、端子電極１２とＧＮＤ電極１６ｂ、１６ｂに芯線２２ｃと表側ＧＮＤ受け部２８をそれぞれに当接させて電気的接続を図ることができる。
【００２３】
本発明の中継コネクタにあっては、同軸コネクタ２２として外郭ＧＮＤ２２ａの外形が略円柱状でその外周面にネジが刻設されるとともに誘電体部材２２ｂから剥き出された芯線２２ｃの近くまで誘電体部材２２ｂを外郭ＧＮＤ２２ａが覆うスパークプラグ型を用いており、従来のＳＭＡ型の同軸コネクタ２２を用いた構造に比較して、外郭ＧＮＤ２２ａから突出する誘電体部材２２ｂの長さが短くなり、従来のごとき長い誘電体部材２２ｂの外周面とメインブロック２０の貫通孔２０ａの内周面の間の隙間によるインピーダンスが不安定となる虞がない。しかも、メインブロック２０の裏面側に突出する外郭ＧＮＤ２２ａの後端部に同軸ケーブルを接続すれば良く、従来のごときメインブロック２０とこれに固定される同軸コネクタ２２の外郭ＧＮＤ２２ａとの間の隙間もなくなり、インピーダンスの連続性が失われることがない。したがって、従来の端子電極１２に同軸コネクタ２２の芯線２２ｃを半田付けにより電気的接続するとともにＧＮＤ電極１６に同軸コネクタ２２の外郭ＧＮＤ２２ａを半田付けにより電気的接続する構造と比較して、周波数帯全域で同等の特性値が得られている。そして、半田付けにより電気的接続していないので、特開２００８−１７１８０１号公報で提案した技術と同様に、基板の表面端部に設けられた端子電極１２に同軸コネクタ２２の芯線２２ｃを半田付けにより電気的接続するとともに、基板１０の裏面端部に設けられたＧＮＤ電極１６に同軸コネクタ２２の外郭ＧＮＤ２２ａを半田付けして電気的接続するような繁雑な作業を必要としない。また、本発明の中継コネクタにあっては、芯線２２ｃに基板受け部２６ｂを近接方向に弾性付勢する弾性バネ３４、３４が同軸コネクタ２２より下側に配設されており、従来の特開２００８−１７１８０１号公報で提案した構造よりも、芯線２２ｃより上方の寸法を短く構成できる。そこで、基板１０を芯線２２ｃと基板受け部２６ｂの間に挿入等する際に、上方斜めからの視認性に優れている。
【００２４】
本発明の第１実施例で用いたスパークプラグ型の同軸コネクタ２２にあっては、外郭ＧＮＤ２２ａの外形は円柱状でその外周面にネジが刻設されている。そこで、メインブロック２０の貫通孔２０ａに螺合させる際には、同軸コネクタ２２を所定の締め付けトルクで固定するために、特殊な締め付け工具が必要である。そこで、図８に示すごとく、同軸コネクタ２２の外郭ＧＮＤ２２ａの外径を、断面小判型としても良い。断面小判型の外形であれば、一般的な締め付け工具により所定の締め付けトルクで螺合固定することが可能である。
【００２５】
なお、上記実施例において、ＧＮＤブロック２６をメインブロック２０に電気的接続する構造は、上記実施例のごときスプリングコネクタ４２、４２を用いたものに限られず、導電性の板バネやフレキシブルな電線で電気的接続させても良く、確実な導通が得られればいかなる構造であっても良い。また、メインブロック２０の両側面に連結部材３８、３８をシャフト２５、２５と平行方向に所定範囲で移動自在とする構造は、上記実施例に限られず、メインブロック２０と連結部材３８、３８がアリ溝による嵌合など如何なる構造であっても良い。
【図面の簡単な説明】
【００２６】
【図１】本発明の中継コネクタの第１実施例の外観図であり、（ａ）は側面図であり、（ｂ）は平面図であり、（ｃ）は正面図である。
【図２】図１の分解斜視図である。
【図３】図１に示す中継コネクタの操作レバーを揺動させた側面図であり、（ａ）は操作レバーを横に寝かせて基板を挟む状態を示し、（ｂ）は操作レバーを立てて基板を差し込み得る状態を示す。
【図４】図３において側面に設けられた枠体を取り外して、操作レバーを揺動させた側面図であり、（ａ）は操作レバーを横に寝かせて基板を挟む状態の図であり、（ｂ）は操作レバーを立てて基板を差し込み得る状態の図である。
【図５】図３において操作レバーを揺動させた縦断面図であり、（ａ）は操作レバーを横に寝かせて基板を挟む状態の図であり、（ｂ）は操作レバーを立てて基板を差し込み得る状態の図である。
【図６】基板を挟もうとする本発明の第１実施例の中継コネクタの外観斜視図である。
【図７】図１においてメインブロックから芯線を突出させれる構造の詳細を示し、基板を挟まない状態の縦断面図である。
【図８】本発明で用いるスパークプラグ型の同軸コネクタの変形例を示し、（ａ）は外観斜視図であり、（ｂ）は（ａ）におけるＢ矢視図である。
【図９】先に提案した中継コネクタの外観図であり、（ａ）は側面図であり、（ｂ）は平面図であり、（ｃ）は正面図である。
【図１０】図９（ｂ）のＡ−Ａ断面矢視図である。
【図１１】図９に示す中継コネクタの分解斜視図である。
【符号の説明】
【００２７】
１０  基板
１２  端子電極
１６ａ、１６ｂ  ＧＮＤ電極
２０  メインブロック
２０ａ  貫通孔
２０ｂ  位置決め用突起
２２  同軸コネクタ
２２ａ  外郭ＧＮＤ
２２ｂ  誘電体部材
２２ｃ  芯線
２５  シャフト
２６  ＧＮＤブロック
２６ａ  ガイド孔
２６ｂ  基板受け部
２７  ベースブロック
２８  表側ＧＮＤ受け部
２８ａ  凹部
３０  操作部材
３４  弾性バネ
３８  連結部材
４０  板バネ
４２  スプリングコネクタ
６０  枠体
６６  揺動支軸
７０  操作レバー
【図１】
2010176953.tif 000003
【図２】
2010176953.tif 000004
【図３】
2010176953.tif 000005
【図４】
2010176953.tif 000006
【図５】
2010176953.tif 000007
【図６】
2010176953.tif 000008
【図７】
2010176953.tif 000009
【図８】
2010176953.tif 000010
【図９】
2010176953.tif 000011
【図１０】
2010176953.tif 000012
【図１１】
2010176953.tif 000013